(57)【要約】【課題】居住空間における床面から立ち上がった見切部材によりできるどのような高さの段差にも対応でき、該段差を残さずに斜面を形成し得るスロープ形成具を提供すること。【解決手段】スロープ形成具１０は、一端部から他端部に向かって厚さが次第に減少する断面三角形状の高さ調整板１１と、その上に重ねられた外側傾斜板１３とを備える。外側傾斜板１３は、段差３を形成している見切部材２の側面２ｂに接する、厚さを持った前端部１３ａと、この前端部１３ａとは反対側に位置する後端部１３ｂと、前端部１３ａの上縁１３ｆから床面１に接する後端部の縁部１３ｄへ向かって下り勾配の外表面１３ｅとから形成されている。高さ調整板１１は、一端部１１ａから他端部１１ｂに向かって各部位の厚さを示す切断可能な複数の指標が設けられている。【選択図】　　　図１
2004027749.tif 000002
【特許請求の範囲】
【請求項１】
床面から立ち上がった見切部材によりできる段差に配置してこの段差に斜面を形成するスロープ形成具において、
前記スロープ形成具が、外側傾斜板と、前記外側傾斜板と前記床面との間に配置された高さ調整板とを含み、
前記外側傾斜板が、前記見切部材の側面に接する前端部と、前記前端部とは反対側に位置し、前記床面に接する後端縁を有する後端部と、前記前端部の上縁から前記後端縁へ向かって下り勾配の外表面とを備え、
前記高さ調整板が、前記外側傾斜板の前記前端部側に位置する一端部からそれとは反端側の他端部に向かって厚さが次第に減少する断面形状で形成され、前記高さ調整板には、前記一端部から前記他端部に向かって各部位の厚さを示す複数の指標が設けられていることを特徴とするスロープ形成具。
【請求項２】
前記外側傾斜板の前記後端部には、床面に直接配置して該後端部を前記床面に対して支持する支持面が形成されている請求項１に記載のスロープ形成具。
【請求項３】
前記指標が、前記高さ調整板の表面上において両端部方向に対して直交する幅方向に線状に延びる切り取り可能な切り込み部である請求項１又は２に記載のスロープ形成具。
【請求項４】
前記スロープ形成具が、前記外側傾斜板と前記高さ調整板との間に少なくとも１つのスペーサ板を更に配置して形成されている請求項１〜３のいずれかに記載のスロープ形成具。
【発明の詳細な説明】
【発明の属する技術分野】
【０００１】
本発明は、スロープ形成具に関し、更に詳細には、例えば居住空間における床面から立ち上がった見切部材によりできる段差に配置して斜面を形成するスロープ形成具に関する。
【０００２】
【従来の技術】
従来、戸建て又は集合住宅などにおける居住空間では、例えばリビングと和室とのへり布や廊下とトイレとの見切部、或いはその他の縁切部などに段差が付けられていることが多い。ここで、「段差」とは、周知のようにほぼ直角な高低差のことを意味する。居住空間にこのような段差があると、特に高齢者はつまづき易く、転倒することがある。近年、居住空間においてバリアフリー対策がなされるようになってきており、段差については結果的にこれをなくしてスロープにするようになってきている。
【０００３】
しかし、建設時にバリアフリー対策が施されていない居住空間では、別体のスロープ板を段差に設置してこれを解消するようにしている。そのために使用する市販のスロープ板としては、段差を形成している見切部材の側面に当接する端部の高さが、例えば１５ｍｍ、１０ｍｍ、５ｍｍの３種類のものがあり、これら３種類のうちのいずれかを選択して段差に配置し、その解消を図っていた。
【０００４】
【発明が解決しようとする課題】
しかし、段差が、１５ｍｍ、１０ｍｍ、５ｍｍのいずれかであれば、３種類のスロープ板から選択して使用することで、段差を完全に解消することができるが、段差が、例えば１４ｍｍであったり、１３ｍｍであったりすると、３種類のスロープ板のいずれを選択しても、僅かな段差ができ、完全には解消しない。このような僅かな段差でも残ると、特に高齢者には危険である。そのため、居住空間で存在するどのような高さの段差にも対応し、その解消を図ることができるように見切部材の側面側の端部高さを可変できるスロープ形成具の開発が望まれた。
【０００５】
本発明の目的は、かかる従来技術の問題点を解決するためになされたもので、居住空間における床面から立ち上がった見切部材によってできるどのような高さの段差にも対応でき、該段差を残さずに斜面を形成し得るスロープ形成具を提供することにある。
【０００６】
【課題を解決するための手段】
上記した課題解決のために、この発明が対象とするのは、床面から立ち上がった見切部材によりできる段差に配置してこの段差に斜面を形成するスロープ形成具である。
【０００７】
かかるスロープ形成具において、この発明が特徴とするところは、スロープ形成具が、外側傾斜板と、この外側傾斜板と床面との間に配置された高さ調整板とを含み、外側傾斜板が、見切部材の側面にほぼ接する前端部と、この前端部とは反対側に位置し、床面に接する後端縁を有する後端部と、前端部の上縁から後端縁へ向かって下り勾配の外表面とを備え、高さ調整板が、外側傾斜板の前端部側に位置する一端部からそれとは反対側の他端部に向かって厚さが次第に減少する断面形状で形成され、高さ調整板には、一端部から他端部に向かって各部位の厚さを示す複数の指標が設けられていること、にある。
【０００８】
この発明に係るスロープ形成具における好ましい実施態様のひとつにおいて、外側傾斜板の後端部に、床面に直接配置して該後端部を床面に対して支持する支持面を形成することが好ましい。また、指標を、高さ調整板の表面上において両端部方向に対して直交する幅方向に線状に延びる切り取り可能な切り込み部とすることが好ましい。更に、スロープ形成具の他の好ましい実施形態としては、外側傾斜板と高さ調整板との間に少なくとも１つのスペーサ板を配置した例を挙げることができる。
【０００９】
【発明の実施の形態】
以下、本発明のスロープ形成具を図に示される実施形態について更に詳細に説明する。図１には、本発明の一実施形態に係るスロープ形成具１０が示されている。このスロープ形成具１０は、居住空間において床面１から立ち上がった見切部材２によってできる段差３における床面１上に配置され、この段差３を結果的になくして斜面を形成するために使用される。図１に示される例では、見切部材２の上面２ａは、畳み４が敷かれた和室に続いている。
【００１０】
この実施形態に係るスロープ形成具１０は、図１、図２に示されるように３枚の板材を重ね合わせて形成されている。１枚の板材は、床面１に直接配置される高さ調整板１１であり、他の１枚の板材は外側傾斜板１３であり、高さ調整板１１と外側傾斜板１３との間には３枚目の板材であるスペーサ板１２が配置されている。これらの高さ調整板１１、スペーサ板１２及び外側傾斜板１３のいずれも、スロープ形成具１０が配置される段差３の見切部材２における床面１に沿って延びる側面２ｂの方向（幅方向）に長い長尺材である。
【００１１】
最上部の外側傾斜板１３は、図２に示されるように高さ調整板１１、スペーサ板１２及び外側傾斜板１３を重ね合わせてスロープ形成具１０とされている状態において、見切部材２の側面２ｂに当接し、かつ厚さを持った前端部１３ａと、この前端部１３ａとは反対側に位置する後端部１３ｂとを備えている。後端部１３ｂにおける下面１３ｃは、外側傾斜板１３の前後方向所定範囲にわたって床面１に接触する支持面とされ、この下面即ち支持面１３ｃは外側傾斜板１３の外表面１３ｅと後端縁１３ｄで交わっている。従って、外側傾斜板１３の外表面１３ｅにおける後端縁１３ｄは、床面１に接している。
【００１２】
このように外側傾斜板１３の外表面１３ｅと下面１３ｃと交わる後端縁１３ｄが床面１に接していることから、外側傾斜板１３の前端部１３ａの上縁１３ｆと後端縁１３ｄとをつなぐ外表面１３ｅは、床面１に対して前端部１３ａから後端縁１３ｄへ向かって下り勾配に傾斜している。外側傾斜板１３の後端部１３ｂにおける支持面１３ｃには、粘着面を離型紙で覆った両面接着テープ（図示せず）が貼り付けられており、スロープ形成具１０を段差３の床面１に配置するとき、両面接着テープの離型紙をはがした後の粘着面により外側傾斜板１３の後端部１３ｂを床面１に固定することができる。
【００１３】
高さ調整板１１とスペーサ板１２とは、外側傾斜板１３の支持面１３ｃにおける前端部１３ａ側の縁部１３ｇから該前端部１３ａに延びる内表面１３ｈの下側に配置されている。高さ調整板１１は、図１〜図３に示されるように外側傾斜板１３の前端部１３ａ側に位置する一端部１１ａから反対側の他端部１１ｂに向かって厚さが次第に減少する断面三角形状で形成されている。高さ調整板１１の断面形状は三角形状に限定されるものではないが、この形状が最も好ましい。この高さ調整板１１には、一端部１１ａから他端部１１ｂに向かって各部位の厚さを示す複数の指標１４が設けられている。
【００１４】
具体的には、断面三角形状の高さ調整板１１の一端部１１ａの厚さＳ１を例えば５ｍｍとすると、厚さＳ２が４ｍｍの位置における表面に、幅方向に線状の切り込み部１４ａが形成され、同様に厚さＳ３が３ｍｍの位置における表面に、幅方向に線状の切り込み部１４ｂが形成され、この切り込み部１４ａ、１４ｂが各部位の厚さを示す指標１４である。高さ調整板１１と外側傾斜板１３との間に配置されているスペーサ板１２も、外側傾斜板１３の前端部１３ａ側に位置する一端部１２ａから反対側の他端部１２ｂに向かって厚さが次第に減少する断面三角形状で形成されている。
【００１５】
次に、この実施形態に係るスロープ形成具１０の使用方法を図１、図４、図５を参照して説明する。今、段差３の高さＨが１５ｍｍであったとし、高さ調整板１１の一端部１１ａにおける厚さＳ１及びスペーサ板１２の一端部１２ａにおける厚さがそれぞれ５ｍｍであり、また外側傾斜板１３の前端部１３ａの厚さも５ｍｍであったとする。この場合、段差３における見切部材２の側面２ｂに当接するスロープ形成具１０の前方端１０ａの厚さは１５ｍｍとなって、段差３の高さＨに一致する。そのような場合には、高さ調整板１１、スペーサ板１２及び外側傾斜板１３を重ねたスロープ形成具１０を段差３の床面１に配置するだけで、見切部材２における側面２ｂの上縁と外側傾斜板１３の前端部１３ａにおける上縁１３ｆとは高さ方向にズレが発生せず、よって見切部材２の上面２ａと外側傾斜板１３の傾斜面部１３ｅとはほぼ同一面でつながる。
【００１６】
ところが、段差３の高さＨが１４ｍｍであったとすると、スロープ形成具１０の前方端１０ａ側の高さは段差３の高さＨより１ｍｍ高くなり、段差ができる。そのため、スロープ形成具１０の前方端１０ａ側の高さを１ｍｍ下げる必要がある。そのようなときに、図４に示されるように高さ調整板１１において４ｍｍの厚さＳ２の位置において表面に形成された線状の切り込み部１４ａで該高さ調整板１１を折り曲げて切断し、一端側の断片を破棄して残りを高さ調整板１１として用い、これをスペーサ板１２の一端部１２ａと床面１との間に配置する。その際、線状の切り込み部１４ａを刃物などで更に切り込んで切断してもよい。
【００１７】
その結果、４ｍｍの厚さＳ２の位置が一端部１１ａとなって、この一端部を他の板材、即ちスペーサ板１２の一端部１２ａと外側傾斜板１３の前端部１３ａに対して整列させて重ね、スロープ形成具１０とする。これによりスロープ形成具１０の前方端１０ａの高さは１４ｍｍとなって、段差３の高さに正確に一致する。よって、このスロープ形成具１０を段差３に配置すると、見切部材２の上面２ａと外側傾斜板１３の外表面１３ｅとはほぼ同一面でつながる。
【００１８】
また、スロープ形成具１０の前方端１０ａ側の高さが、段差３の高さＨより２ｍｍ高い場合には、図５に示されるように高さ調整板１１において３ｍｍの厚さＳ３の位置において表面に形成された線状の切り込み部１４ｂで該高さ調整板１１を折り曲げて切断し、一端側の断片を破棄して残りを高さ調整板１１として用い、これをスペーサ板１２の一端部１２ａと床面１との間に配置する。
【００１９】
このように、スロープ形成具１０の前方端１０ａ側の高さが、段差３の高さＨより高い場合には、高さ調整板１１の各指標１４で表示されている厚さのうち、その寸法差と同じ厚さの指標位置で高さ調整板１１の一端部を切り落として使用することにより、通常の居住空間における段差３に対してスロープ形成具１０の前方端１０ａの厚さを可変に調整することができ、またその調整も極めて容易である。
【００２０】
なお、上記の実施形態では、スロープ形成具１０が３枚の板材を重ねて形成されたものであったが、本発明はこれに限定されるものではなく、少なくとも外側傾斜板１３と高さ調整板１１とがあればよい。スペーサ板１２は段差の高さに応じて１枚若しくはそれ以上の枚数を配置することができる。
【００２１】
また、上記の実施形態では、スペーサ板１２や高さ調整板１１は、外側傾斜板１３における内表面１３ｈの下側に配置しているだけで、相互に固定されてはいないが、外側傾斜板１３の外表面１３ｅからビスや釘を高さ調整板１１又はこれを越えて床面１まで螺入又は打ち込み、各板材を相互に固定するか、又はスロープ形成具１０を同時に床面１に固定することも好ましい。
【００２２】
更に、外側傾斜板１３の外表面１３ｅに、滑り止めとして幅方向に延びる線状の突起部１５を複数形成しておくことも好ましく、或いは、線状をした適当な滑り止め材を接着剤などで貼り付けてもよい。このような外側傾斜板１３はプラスチック材料で形成することが好ましいが、本発明は、プラスチック材料に限定されるものではなく、木材などで形成することも好ましい。
【００２３】
更にまた、スロープ形成具１０の前方端１０ａにおける高さを高さ調整板１１の一端部１１ａにおける厚さで調整する際に、各部位の厚さを表示する指標１４を、表面に形成した線状の切り込み部１４ａ、１４ｂとしたが、これについても指標を切り込み部に限定するものではなく、各部位の厚さを、その対応位置における表面に複数の線を描いて表示し、カッターなどを用いて高さ調整板１１を、必要とする厚さに対応する線上で切り込んで、一端部１１ａを所定の厚さにすべく切り落とすことも好ましい。
【００２４】
【発明の効果】
本発明のスロープ形成具によれば、一端部から他端部に向かって厚さが次第に減少する断面形状の高さ調整板と、傾斜した外表面を備える外側傾斜板とを重ねて構成し、高さ調整板に、一端部から他端部に向かって各部位の厚さを示す複数の指標を設け、スロープ形成具を配置する段差の高さに応じて高さ調整板の一端部の厚さを可変に調整し得るようにしたことにより、どのような高さの段差に対しても高さ方向にズレを発生させずにスロープを形成することができる。
【図面の簡単な説明】
【図１】スロープ形成具を段差に配置した状態を示す斜視図である。
【図２】スロープ形成具の断面図である。
【図３】スロープ形成具を構成する高さ調整板を示す斜視図である。
【図４】スロープ形成具の前方端を、段差の高さに応じて調整する状態を示す断面図である。
【図５】スロープ形成具の前方端を、段差の高さに応じて調整する状態を示す断面図である。
【符号の説明】
１　床面
２　見切部材
２ａ　上面
２ｂ　側面
３　段差
１０　スロープ形成具
１０ａ　前方端
１１　高さ調整板
１１ａ　一端部
１１ｂ　他端部
１２　スペーサ板
１３　外側傾斜板
１３ａ　前端部
１３ｂ　後端部
１３ｃ　支持面
１３ｄ　後端縁
１３ｅ　外表面
１３ｆ　前端部の上縁
１３ｇ　支持面の前縁
１３ｈ　内表面
１４　指標
１４ａ　線状の切り込み部
１４ｂ　線状の切り込み部
【図１】
2004027749.tif 000003
【図２】
2004027749.tif 000004
【図３】
2004027749.tif 000005
【図４】
2004027749.tif 000006
【図５】
2004027749.tif 000007